(57)【特許請求の範囲】
【請求項１】
立体駐車装置に用いられ、車両を載置するためのパレットであって、
車両を載置する主面を構成する主板を備え、
前記主板は、
前記主面の略中央において車両の進行方向に沿って前記主面側に突出する中高部と、
前記主面の車両進行方向に沿った両辺において前記主面側に突出する一対の側高部と、
前記側高部に繋がって形成され、前記主面とは反対側の裏面側に突出する突出部位と、その突出部位の先端から前記裏面の中央側に折り返されるように形成される平坦部位とをそれぞれが有する一対の鉤状部と、が形成され、
前記中高部の前記主面からの高さと、前記側高部の前記主面からの高さが略同一となるように形成され、
前記中高部は、前記主板において前記裏面側から前記主面側へと凹む凹部を形成し、その凹部が前記主面側へ突出することで形成される凸部によって形成され、
前記側高部は、前記主面から立設される主突出部位と、その主突出部位の先端から前記主面の外側に折り返されるように形成される主平坦部位と、その主平坦部位の先端から前記裏面側に折り返され前記突出部位に繋がる主折返し部位と、によって形成されていることを特徴とするパレット。
【請求項２】
前記裏面から突出するようにサブフレームが設けられていることを特徴とする請求項１に記載のパレット。
【請求項３】
前記サブフレームは、前記裏面の車両進行方向に沿った両辺それぞれに一対形成されていることを特徴とする請求項２に記載のパレット。
【請求項４】
前記サブフレームは、
前記裏面から突出するサブ突出部位と、それぞれの前記サブフレームが隣接する前記鉤状部の前記平坦部位と略同じ高さとなる位置に形成されるサブ平坦部位と、を有することを特徴とする請求項３に記載のパレット。
【請求項５】
前記一対のサブフレームの間に、車両進行方向と略直交する方向に沿ってクロスメンバーが配置されていることを特徴とする請求項３又は４に記載のパレット。
【請求項６】
前記サブフレームの前記裏面からの高さと、前記クロスメンバーの前記裏面からの高さとが、略同一となるように形成されていることを特徴とする請求項５に記載のパレット。
【発明の詳細な説明】
【技術分野】
【０００１】
本発明は、機械式の立体駐車装置に用いられ、車両を載置するためのパレットに関する。
【背景技術】
【０００２】
車両を載置するためのパレットを用いた機械式立体駐車装置の一例として、ピット式の立体駐車装置が知られている。従来のピット式の立体駐車装置の構成の一例として、例えば特許文献１に記載のピット式駐車装置がある。この従来の立体駐車装置は、車両の地上面から所定の深さで形成されたピット内に、上下方向に配された複数段のパレットからなるパレット昇降体を備えている。
【０００３】
パレット昇降体の下部には、例えば特許文献２に記載のピット式駐車装置にもあるように、駆動軸に巻き回された前後一対の吊りチェーンが架け渡されている。そして、駆動軸による吊りチェーンの繰り出し及び巻き取りによってパレット昇降体が昇降し、指定されたパレットが地上面の位置に移動するようになっている。
【０００４】
また、ピット内には、駆動軸等が取付けられる複数の支柱がパレット昇降体の周囲に設置されている。支柱の上部において、地上面に対応する位置には、パレットの前後方向に沿って道板が設けられており、地上面に移動したパレットの幅方向の端部と道板とによって、パレット上に駐車している車両に出入するための通路が形成されるようになっている。
【０００５】
このような立体駐車装置に用いられるパレットにおいて、車両が載置される主面を極力凹凸のないものとするフラットタイプのものが提案されている（下記特許文献３参照）。
【先行技術文献】
【特許文献】
【０００６】
【特許文献１】特開２００７−３０３０７２号公報
【特許文献２】特開２００７−１４６５４３号公報
【特許文献３】特開２０１０−００７２８２号公報
【発明の概要】
【発明が解決しようとする課題】
【０００７】
上記特許文献３に記載されているパレットは、車高の低い車を入庫しても車両の底とパレット中央部とが干渉しないようにし、タイヤ幅の広い車両の入庫を可能とするものである。具体的には、車両を乗せる車路上面が幅方向にほぼ平坦に形成されたフラット部を有し、フラット部の車両出入側に連結されパレット端部に向うにつれて上面が低くなる傾斜端部を有するものである。
【０００８】
このようにフラット化したパレットは、パレットにおける凹凸を減少させることができるものであるから、バリアフリーの観点からは有用なものであるともいえる。しかしながら、車両をパレット上に乗り入れる際のガイドを全く無くしてしまえば、非常に入庫し難くなり、駐車装置本来の機能が著しく損なわれることになる。このような事態に対処するため、誘導用のセンサーを設けるといった手法も考えられるけれども、コスト面を考慮すれば現実的な選択肢とは言い難い。
【０００９】
本発明はこのような課題に鑑みてなされたものであり、その目的は、機械式の立体駐車装置に用いられ、車両を載置するためのパレットであって、車両が載置される主面を極力凹凸のないものとしながらも、強度を十分に確保することができると共に、パレット上への駐車をより簡易且つ確実に行うことが可能なパレットを提供することを目的とする。
【課題を解決するための手段】
【００１０】
上記課題を解決するために本発明に係るパレットは、機械式の立体駐車装置に用いられ、車両を載置するためのパレットであって、車両を載置する主面を構成する主板を備える。前記主板は、前記主面の略中央において車両の進行方向に沿って前記主面側に突出する中高部と、前記主面の車両進行方向に沿った両辺において前記主面側に突出する一対の側高部と、一対の鉤状部とを備える。一対の鉤状部は、前記側高部に繋がって形成され、前記主面とは反対側の裏面側に突出する突出部位と、その突出部位の先端から前記裏面の中央側に折り返されるように形成される平坦部位とをそれぞれが有する一対の部位である。
【００１１】
本発明ではこのように構成することで、中高部と側高部とによって、車両のガイドとなる溝を形成することができる。更に、本発明のパレットにおける主板には、一対の鉤状部が形成されている。一対の鉤状部はそれぞれが、側高部に繋がり主面とは反対側の裏面側に突出する突出部位と、その突出部位の先端から裏面の中央側に折り返されるように形成される平坦部位とを有している。従って、主板の両側においてそれぞれに形成される鉤状部が補強要素となって、主板全体の強度の一部を確実に担保することができる。従って、この鉤状部によって強度を担うことで、中高部及び側高部の主面側への突出量を最小限のものとすることができる。そのため、中高部及び側高部では、主に車両のガイドとなりうる溝を形成することができる必要最小限度の高さを確保する一方で、パレットとして不足する強度を鉤状部によって補うことができる。特に、鉤状部を突出部位と平坦部位とで構成することで、鉤状部を主板と一体的にプレスといった簡便な手法で形成することができる。
【００１２】
また本発明に係るパレットでは、前記中高部の前記主面からの高さと、前記側高部の前記主面からの高さが略同一となるように形成されていることも好ましい。
【００１３】
この好ましい態様では、中高部の主面からの高さと、側高部の主面からの高さを略同一となるように形成することで、それぞれ均等に負荷を受け持たせることができ、いずれか一方を過度に高くすることなく、必要となる溝を形成することができる。
【００１４】
また本発明に係るパレットでは、前記中高部は、前記主板において前記裏面側から前記主面側へと凹む凹部を形成し、その凹部が前記主面側へ突出することで形成される凸部によって形成されていることも好ましい。
【００１５】
この好ましい態様では、中高部は、主板において裏面側から主面側へと凹む凹部を形成し、その凹部が主面側へ突出することで形成される凸部によって形成することで、プレスといった簡便な手法で中高部を形成することができる。
【００１６】
また本発明に係るパレットでは、前記側高部は、前記主面から立設される主突出部位と、その主突出部の先端から前記主面の外側に折り返されるように形成される主平坦部位と、その主平坦部位の先端から前記裏面側に折り返され前記突出部位に繋がる主折返し部位と、によって形成されていることも好ましい。
【００１７】
この好ましい態様では、側高部を、主面から立設される主突出部位と、その主突出部位の先端から主面の外側に折り返されるように形成される主平坦部位と、その主平坦部位の先端から裏面側に折り返され突出部位に繋がる主折返し部位と、によって形成しているので、別途部材を追加することなく中高部側の主板から一体的に、プレスといった簡便な手法で側高部を形成することができる。特に、主折返し部位を突出部位と繋がるように形成しているので、側高部と鉤状部とを一体的にプレスといった簡便な手法で形成することができる。
【００１８】
また本発明に係るパレットでは、前記裏面から突出するようにサブフレームが設けられていることも好ましい。
【００１９】
この好ましい態様では、サブフレームを裏面側から突出するように設けているので、主板の強度をより確実に確保することができる。
【００２０】
また本発明に係るパレットでは、前記サブフレームは、前記裏面の車両進行方向に沿った両辺それぞれに一対形成されていることも好ましい。
【００２１】
この好ましい態様では、サブフレームを裏面の車両進行方向に沿った両辺それぞれに一対形成することで、一対の鉤状部と対応させた強度保持手段として構成することが可能となる。従って、サブフレームを設けるという簡便な手法で、主板の強度を確実に確保することができる。
【００２２】
また本発明に係るパレットでは、前記サブフレームは、前記裏面から突出するサブ突出部位と、それぞれの前記サブフレームが隣接する前記鉤状部の前記平坦部位と略同じ高さとなる位置に形成されるサブ平坦部位と、を有することも好ましい。
【００２３】
この好ましい態様では、サブフレームがサブ突出部位及びサブ平坦部位を有するように構成している。サブ突出部位は、裏面から突出するように構成されることで主板の強度を補完するものとして機能している。また、隣接する鉤状部の平坦部位と略同じ高さとなる位置に形成されるサブ平坦部位を設けることで、より空間及び強度上効率のよい形態とすることができる。
【００２４】
また本発明に係るパレットでは、前記一対のサブフレームの間に、車両進行方向と略直交する方向に沿ってクロスメンバーが配置されていることを特徴とする請求項６又は７に記載のパレット。
【００２５】
この好ましい態様では、一対のサブフレームの間に、車両進行方向と略直交する方向に沿ってクロスメンバーが配置されているので、車両進行方向の補強のみならず、車両進行方向と交わる方向においても主板の強度を高めることができる。
【００２６】
また本発明に係るパレットでは、前記サブフレームの前記裏面からの高さと、前記クロスメンバーの前記裏面からの高さとが、略同一となるように形成されていることを特徴とする請求項８に記載のパレット。
【００２７】
この好ましい態様では、サブフレームの裏面からの高さと、クロスメンバーの裏面からの高さとが、略同一となるように形成されているので、より強度上効率のよい形態とすることができる。
【発明の効果】
【００２８】
本発明によれば、立体駐車装置に用いられ、車両を載置するためのパレットであって、車両が載置される主面を極力凹凸のないものとしながらも、強度を十分に確保することができると共に、パレット上への駐車をより簡易且つ確実に行うことが可能なパレットを提供することができる。
【図面の簡単な説明】
【００２９】
【図１】本発明に係るパレットを用いた立体駐車装置の一実施形態を示す概略正面図である。
【図２】パレット昇降体の一部を示す概略斜視図である。
【図３】図２のＩ−Ｉ断面を示す概略断面図である。
【発明を実施するための形態】
【００３０】
以下、添付図面を参照しながら本発明の実施の形態について説明する。説明の理解を容易にするため、各図面において同一の構成要素に対しては可能な限り同一の符号を付して、重複する説明は省略する。
【００３１】
図１は、本発明に係るパレットを含む立体駐車装置の一実施形態を示す正面図である。図１には、紙面に沿って右側から左側に向かい、地上面Ｇに沿ったｘ軸と、紙面に沿って下方から上方に向かい、地上面Ｇに垂直なｙ軸と、ｘ軸及びｙ軸に直交し、紙面を貫くｚ軸とを設定している。尚、図１には、ピット型の機械式立体駐車装置を示しているけれども、本実施形態のパレットが適用される機械式立体駐車装置はこれに限られるものではなく、昇降横行式の機械式立体駐車装置といった他の形式にも適用可能である。
【００３２】
図１に示すように、立体駐車装置１は、車両が出入する地上面Ｇから所定の深さで形成されたピットＰ内に設けられた地上１層・地下２層の立体駐車装置（以下、単位駐車装置２と記す）が４体並設されて構成されている。単位駐車装置２は、枠体３を有している。枠体３は、ピットＰの前部及び後部において左右一対に立設された前部支柱４及び後部支柱５と、前部支柱４の頂部と後部支柱５の頂部との間に設けられた道板２１とによって構成されている。
【００３３】
枠体３に取り囲まれた空間には、パレット昇降体６が配置されている。前部支柱４の頂部と後部支柱５の頂部との間には、道板２１が設けられている。道板２１は、パレット７における車止め１３（図２参照）の設置位置よりも前方側に地上面Ｇと略面一に延在しており、パレット昇降体６の昇降によって地上面Ｇに移動したパレット７との協働によって通路２２を形成するようになっている。
【００３４】
図２は、単位駐車装置２に含まれるパレット昇降体６の一部の概略構成を示す概略斜視図である。図２に示すように、パレット昇降体６は、車両が載置される複数（３枚）のパレット７と、前後のパレット支柱８，９とから構成されている。すなわち、パレット昇降体６は、上段パレット７ａ、中段パレット７ｂ、及び下段パレット７ｃを有しており、これらの各パレット７ａ，７ｂ，７ｃが左右一対の前側パレット支柱８及び後側パレット支柱９によって３段に連結されている。
【００３５】
パレット７は、一枚の主板７０をプレスなどによって折り曲げることによって主に形成されるものであって、車両の車輪が入る一対の溝７１，７１が形成されている。一対の溝７１，７１それぞれには、車止め１３が配置されている。
【００３６】
パレット７のＩ−Ｉ断面を図３に示す。図３に示すように、パレット７は、主板７０と、サブフレーム１８と、クロスメンバー１９と、を備えている。主板７０は、主面７０ａと、裏面７０ｂとを有する。
【００３７】
主板７０の略中央には、中高部７２が形成されている。中高部７２は主板７０をプレス加工することで形成される凸部７２ａによって形成されている。中高部７２は、主板７０において、裏面７０ｂから主面７０ａ側へと凹む凹部７２ｂを形成し、その凹部７２ｂが主面７０ａ側へ突出することで形成される凸部７２ａによって形成されている。
【００３８】
主板７０の車両進行方向（ｚ軸方向）に沿って主面７０ａ側に突出する一対の側高部７３，７３が形成されている。側高部７３は、主面７０ａからｙ軸方向に立設される主突出部位７３ａと、主突出部位７３ａの先端から主面７０ａの外側（図３において左側に配置されている側高部７３においてはｘ軸の負方向側、右側に配置されている側高部７３においてはｘ軸の正方向側）に折り返されるように形成される主平坦部位７３ｂと、主平坦部位７３ｂの先端から裏面７０ｂ側（図３においてｙ軸の負方向側）に折り返される主折返し部位７３ｃと、を有する。
【００３９】
一対の側高部７３，７３それぞれには、鉤状部７４が繋げて形成されている。従って、主板７０の両側に一対の鉤状部７４，７４が形成されている。鉤状部７４は、主面７０ａとは反対側の裏面７０ｂ側に突出する突出部位７４ａと、突出部位７４ａの先端から裏面７０ｂの中央側（図３において左側に配置されている鉤状部７４においてはｘ軸の正方向側、右側に配置されている鉤状部７４においてはｘ軸の負方向側）に折り返されるように形成される平坦部位７４ｂとを有している。
【００４０】
本実施形態の場合、側高部７３の主折返し部位７３ｃは、鉤状部７４の突出部位７４ａに繋がって一体的に形成されている。本実施形態の場合、側高部７３及び鉤状部７４は、主板７０をプレスといった折り曲げ加工によって形成されている。
【００４１】
本実施形態では、裏面７０ｂから突出するように一対のサブフレーム１８が設けられている。サブフレーム１８は、裏面７０ｂの車両進行方向（ｚ軸方向）に沿った両辺それぞれに一対形成されている。
【００４２】
サブフレーム１８は、裏面７０ｂから突出するサブ突出部位８１と、サブ突出部位８１に繋げて形成されているサブ平坦部位８２とを有している。サブフレーム１８は、Ｌ字断面の角材によって構成されている。サブ平坦部位８２は、サブフレーム１８が隣接する鉤状部７４の平坦部位７４ｂと略同じ高さとなる位置に形成される。
【００４３】
一対のサブフレーム１８，１８の間には、車両進行方向（ｚ軸方向）と略直交する方向（ｘ軸方向）に沿ってクロスメンバー１９が配置されている。本実施形態の場合、クロスメンバー１９は、二箇所に配置されている。本実施形態では、サブフレーム１８の裏面７０ｂからの高さと、クロスメンバー１９の裏面７０ｂからの高さとが、略同一となるように形成されている。
【００４４】
上述したように本実施形態のパレット７は、機械式の立体駐車装置１に用いられ、車両を載置するためのパレットであって、車両を載置する主面７０ａを構成する主板７０を備える。主板７０は、主面７０ａの略中央において車両の進行方向（ｚ軸方向）に沿って主面７０ａ側に突出する中高部７２と、主面７０ａの車両進行方向に沿った両辺において主面７０ａ側に突出する一対の側高部７３，７３と、一対の鉤状部７４，７４とを備える。一対の鉤状部７４，７４は、側高部７３，７３に繋がって形成され、主面７０ａとは反対側の裏面７０ｂ側に突出する突出部位７４ａと、その突出部位７４ａの先端から裏面７０ｂの中央側に折り返されるように形成される平坦部位７４ｂとをそれぞれが有する一対の部位である。
【００４５】
本実施形態ではこのように構成することで、中高部７２と側高部７３とによって、車両のガイドとなる溝７１を形成することができる。更に、主板７０の両側においてそれぞれに形成される鉤状部７４が補強要素となって、主板７０全体の強度の一部を確実に担保することができる。従って、この鉤状部７４によって強度を担うことで、中高部７２及び側高部７３の主面７０ａ側への突出量を最小限のものとすることができる。そのため、中高部７２及び側高部７３では、主に車両のガイドとなりうる溝７１を形成することができる高さを確保する一方で、パレットとして不足する強度を鉤状部７４によって補うことができる。特に、鉤状部７４を突出部位７４ａと平坦部位７４ｂとで構成することで、鉤状部を主板と一体的にプレスといった簡便な手法で形成することができる。
【００４６】
また本実施形態では、中高部７２の主面７０ａからの高さと、側高部７３の主面７０ａからの高さが略同一となるように形成されている。このように形成することで、いずれか一方を過度に高くすることなく、必要となる溝７１を形成することができる。
【００４７】
また本実施形態では、中高部７２は、主板７０において裏面７０ｂ側から主面７０ａ側へと凹む凹部７２ｂを形成し、その凹部７２ｂが主面７０ａ側へ突出することで形成される凸部７２ａによって形成されている。このように構成することで、プレスといった簡便な手法で中高部７２を形成することができる。
【００４８】
また本実施形態では、側高部７３は、主面７０ａから立設される主突出部位７３ａと、その主突出部位７３ａの先端から主面７０ａの外側に折り返されるように形成される主平坦部位７３ｂと、その主平坦部位７３ｂの先端から裏面７０ｂ側に向けて折り返され突出部位７４ａに繋がる主折返し部位７３ｃと、によって形成されている。このように構成することで、別途部材を追加することなく中高部７２側の主板７０から一体的に、プレスといった簡便な手法によって側高部７３を形成することができる。特に、主折返し部位７３ｃを突出部位７４ａと繋がるように形成しているので、側高部７３と鉤状部７４とを一体的にプレスといった簡便な手法で形成することができる。
【００４９】
また本実施形態では、裏面７０ｂから突出するようにサブフレーム１８が設けられている。このように構成することで、主板７０の強度をより確実に確保することができる。
【００５０】
また本実施形態では、サブフレーム１８は、裏面７０ｂの車両進行方向に沿った両辺それぞれに一対形成されている。このように構成することで、サブフレーム１８，１８を、一対の鉤状部７４，７４と対応させた強度保持手段として構成することが可能となる。従って、サブフレーム１８を設けるという簡便な手法で、主板７０の強度を確実に確保することができる。
【００５１】
また本実施形態では、サブフレーム１８は、裏面７０ｂから突出するサブ突出部位８１と、それぞれのサブフレーム１８が隣接する鉤状部７４の平坦部位７４ｂと略同じ高さとなる位置に形成されるサブ平坦部位８２と、を有するように構成される。このようにサブ突出部位８１は、裏面７０ｂから突出するように構成されることで主板７０の強度を補完するものとして機能している。また、隣接する鉤状部７４の平坦部位７４ｂと略同じ高さとなる位置に形成されるサブ平坦部位８２を設けることで、より強度上効率のよい形態とすることができる。
【００５２】
また本実施形態では、一対のサブフレーム１８，１８の間に、車両進行方向（ｚ軸方向）と略直交する方向（ｘ軸方向）に沿ってクロスメンバー１９が配置されている。このように構成することで、車両進行方向の補強のみならず、車両進行方向と交わる方向においても主板７０の強度を高めることができる。
【００５３】
また本実施形態では、サブフレーム１８の裏面７０ｂからの高さと、クロスメンバー１９の裏面７０ｂからの高さとが、略同一となるように形成されている。このように構成することで、より空間及び強度上効率のよい形態とすることができる。
【００５４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１：立体駐車装置
２：単位駐車装置
３：枠体
４：前部支柱
５：後部支柱
６：パレット昇降体
７：パレット
７ａ：上段パレット
７ｂ：中段パレット
７ｃ：下段パレット
８：前側パレット支柱
９：後側パレット支柱
１８：サブフレーム
１９：クロスメンバー
２１：道板
２２：通路
７０：主板
７０ａ：主面
７０ｂ：裏面
７１：溝
７２：中高部
７２ａ：凸部
７２ｂ：凹部
７３：側高部
７３ａ：主突出部位
７３ｂ：主平坦部位
７３ｃ：主折返し部位
７４：鉤状部
７４ａ：突出部位
７４ｂ：平坦部位
８１：サブ突出部位
８２：サブ平坦部位
８２：サブ平坦部位
Ｇ：地上面
Ｐ：ピット
【図１】
0005683238.tif 000002
【図２】
0005683238.tif 000003
【図３】
0005683238.tif 000004